(57)【要約】【課題】タイルや石板の重厚感、高級感に暖か味を加えることができ、しかも簡単に模様替えが行える建築物の壁面構造及びその壁面構造に使用する装飾部材を提供する。【解決手段】壁１の表面に多数の装飾板２を配列して装飾する建築物の壁面構造であって、装飾板２の１枚又は複数枚分の大きさである装飾基板６と、その装飾基板６の正面に額縁状の縁取りを残して凹状に形成した主体設置部６ｂと、その主体設置部６ｂに着脱自在に嵌合する装飾主体７と、その装飾主体７を主体設置部６ｂ内に取外し可能な状態に取着する取着手段（磁石８）と、を有する装飾部材５を使用し、複数の装飾板２同士の間に装飾基板６を配置すると共にその装飾基板６の主体設置部６ｂに装飾主体７を装着して装飾するようにした。【選択図】        図１
2011219931.tif 000002
【特許請求の範囲】
【請求項１】
壁の表面に多数の装飾板を配列して装飾する建築物の壁面構造であって、
前記装飾板の１枚又は複数枚分の大きさである装飾基板と、
その装飾基板の正面に額縁状の縁取りを残して凹状に形成した主体設置部と、
その主体設置部に着脱自在に嵌合する装飾主体と、
その装飾主体を前記主体設置部内に取外し可能な状態に取着する取着手段と、を有する装飾部材を使用し、
複数の前記装飾板同士の間に前記装飾基板を配置すると共にその装飾基板の主体設置部に装飾主体を装着して装飾するようにしたことを特徴とする建築物の壁面構造。
【請求項２】
前記装飾板を石板又はタイルで形成し、
前記装飾基板を石板又はタイルで形成し、
さらに前記装飾主体は、前記装飾基板の前記主体設置部にほぼ整合する形状の枠体を有し、少なくともその枠体を木又は竹又は紙又は革又は合成樹脂の１種又は２種以上を組み合わせて形成したものであることを特徴とする請求項１記載の建築物の壁面構造。
【請求項３】
正面に額縁状の縁取りを残して凹状の主体設置部を形成してなる装飾基板と、
前記主体設置部に着脱自在に嵌合する装飾主体と、
その装飾主体を前記主体設置部内に取り外し可能な状態に取着する取着手段と、を有し、
複数の装飾板を配列して装飾される建築物の壁面に、その装飾板同士の間に配置されるものである請求項１又は２に記載の建築物の壁面構造に使用する装飾部材。
【発明の詳細な説明】
【技術分野】
【０００１】
本発明は、建築物を装飾する壁面構造及びその壁面構造に使用する装飾部材に関する。
【背景技術】
【０００２】
従来から、建築物の壁の表面に装飾板たるタイルや石板を上下左右に配列して装飾することが広く行われている。言うまでもなく前記タイルは陶磁製が主流であり、また、石板は天然の石を板状に加工したものが主流である。
【０００３】
室内の壁の表面にタイルや石板を貼り付けた建築物は、重厚感や高級感がある反面、特許文献１で指摘されているように冷たい印象を与える。したがって一般住宅においてタイルや石板を使用する場所は、台所、トイレ、浴室等が主流であった。
【先行技術文献】
【特許文献】
【０００４】
【特許文献１】実登第３０２６１９７号
【発明の概要】
【発明が解決しようとする課題】
【０００５】
近年、表面を自然に割れたようないわゆる「割肌」に加工して暖か味を演出するようにしたタイルや石板があり、一般家庭の居間等の壁にもタイルや石板等を貼ることが増えつつある。
しかしながら壁一面をタイルや石板で覆った場合には、依然として冷たい印象を与える可能性があり、また、一旦タイルや石板を壁に貼ってしまうと、長期に亘ってその状態で固定されることになるため、飽きが来るのをおそれて躊躇する者も多い。
【０００６】
本発明は、上記に鑑みなされたもので、その目的は、タイルや石板の重厚感、高級感に暖か味を加えることができ、しかも簡単に模様替えが行える建築物の壁面構造及びその壁面構造に使用する装飾部材を提供することにある。
【課題を解決するための手段】
【０００７】
上記の目的を達成するため本発明は、
壁の表面に多数の装飾板を配列して装飾する建築物の壁面構造であって、
前記装飾板の１枚又は複数枚分の大きさである装飾基板と、
その装飾基板の正面に額縁状の縁取りを残して凹状に形成した主体設置部と、
その主体設置部に着脱自在に嵌合する装飾主体と、
その装飾主体を前記主体設置部内に取外し可能な状態に取着する取着手段と、を有する装飾部材を使用し、
複数の前記装飾板同士の間に前記装飾基板を配置すると共にその装飾基板の主体設置部に装飾主体を装着して装飾するようにした建築物の壁面構造を提供する。
【０００８】
また、請求項２に記載したように、
前記装飾板を石板又はタイルで形成し、
前記装飾基板を石板又はタイルで形成し、
さらに前記装飾主体は、前記装飾基板の前記主体設置部にほぼ整合する形状の枠体を有し、少なくともその枠体を木又は竹又は紙又は革又は合成樹脂の１種又は２種以上を組み合わせて形成したものである請求項１記載の建築物の壁面構造を提供する。
【０００９】
また、請求項３に記載したように、
正面に額縁状の縁取りを残して凹状の主体設置部を形成してなる装飾基板と、
前記主体設置部に着脱自在に嵌合する装飾主体と、
その装飾主体を前記主体設置部内に取り外し可能な状態に取着する取着手段と、を有し、
複数の装飾板を配列して装飾される建築物の壁面に、その装飾板同士の間に配置されるものである請求項１又は２に記載の建築物の壁面構造に使用する装飾部材を提供する。
【発明の効果】
【００１０】
本発明によれば、従来の装飾板同士の間に装飾部材を配置したため、その装飾部材がアクセントになって暖か味のある印象を抱かせることができる。また、装飾部材の装飾主体を主体設置部に対して着脱自在にしたため、その装飾主体を交換することで簡単に模様替えが行える。
【００１１】
また、請求項２のように従来の装飾板と装飾基板を石板又はタイルで形成し、装飾主体の枠体をそれとは異なる材質である木又は竹又は紙又は革又は合成樹脂の１種又は２種以上を組み合わせて形成することで、周囲の装飾板とのコントラストにより装飾部材の暖か味を特に際だたせることができる。
【図面の簡単な説明】
【００１２】
【図１】装飾主体を分離して示す分解斜視図である。
【図２】壁の一部を示す正面図である。
【図３】壁の一部を示す斜視図である。
【図４】壁の一部を示す縦断面図である。
【図５】壁に装飾基板を貼り付ける状態を示す分解斜視図である。
【図６】実施形態２の装飾部材を示す分解斜視図である。
【発明を実施するための形態】
【００１３】
［実施形態１］
以下に本発明の実施形態１を図１〜図５を参照しつつ説明する。
図示したように建築物の壁１の表面には多数の装飾板２，２…が上下左右に適宜な目地間隔を離して配列されている。実施形態１の装飾板２は、陶磁製のタイル又は石を板状に加工した石板であり、図４に示したように壁１の表面に形成したモルタル層３に貼り付けられ、目地間隔に目地材４が充填されている。一方、装飾板２の裏面には、図示しないが左右方向横断状に剥離防止用の凹溝が形成されており、その凹溝にモルタル層３を食い込ませて壁１から剥がれにくくしている。
【００１４】
なお、現在では上記のように壁１にモルタル層３を設ける場合の他、壁１に装飾板２を直に釘で打ち付けたり、或は壁１に専用の引っ掛け具を取着して装飾板２を引っ掛けるようにしたものもある。装飾板２の設置構造としては上記のいずれの方式であってもよい。
【００１５】
本発明の壁構造は、複数の装飾板２，２…同士の間に本発明の装飾部材５を配置したことを特徴とする。この装飾部材５は、建築物の壁１に対して前記装飾板２と同じ方式で取り付けられる装飾基板６と、その装飾基板６に取り付けられた装飾主体７と、からなる。
【００１６】
［装飾基板］
実施形態１の装飾基板６は、前記装飾板２に対して正面視同じ縦横サイズで厚みが若干大きい形状になっており、正面に額縁状の縁取り６ａを残して凹状の主体設置部６ｂを有する。装飾基板６は、前記装飾板２と同じ材質であることがデザイン上好ましく、装飾板２がタイルであればタイル、装飾板２が石板であれば石で形成する。
この装飾基板６には主体設置部６ｂのコーナー部分に取着手段を構成する磁石８が固着されている。なお、この磁石８は、装飾基板６の裏面と同一面になる長さに形成すればよいのであるが、図４のように装飾基板６の裏面から磁石８（取着手段）の後端部を突出させておくことでモルタル層３への食い込みを強化し、もって剥離防止機能を強化することができる。
【００１７】
［装飾主体］
前記装飾主体７は、装飾基板６の前記主体設置部６ｂにほぼ整合する形状に枠組みした木製の枠体７ａを有し、その枠体７ａの裏面に紙（和紙）７ｂを貼り、さらに枠体７ａの内側に障子の桟に見立てた木製の飾り桟７ｃを形成してなる。なお、枠体７ａの内側は、自由にデザイン可能であり、例えば図１に示したように異なる形状の飾り桟７ｃにしたり、或は飾り桟７ｃとは全く異なる材質、例えば竹、紙、革、合成樹脂等の素材を使って自由なデザインを施すことができる。一例として乳児の手形を付けた粘土板（図示せず）を枠体７ａの中に固定したり、或は趣味で自作した作品を枠体７ａの中に固定してもよい。
【００１８】
装飾主体７のコーナー部分の裏面には、前記取着手段の磁石８に磁着可能な鉄製の磁性板（図示せず）が貼着されており、この磁性板が装飾基板６の磁石８に磁着して装飾基板６の主体設置部６ｂから装飾主体７が落下しないようになっている。
【００１９】
以上のような構成である本発明の装飾部材５の装飾基板６は、周囲の装飾板２と同じ大きさであるため、図５に示したように複数の装飾板２同士の間に整然と配置することができる。そして、壁１に固定した装飾基板６の主体設置部６ｂに装飾主体７を嵌め込めば、取着手段の磁石８に装飾主体７の磁性板が磁着して落下しない状態に固定される。
【００２０】
この状態でタイルの装飾板２，２…と、装飾板２，２…で囲まれた障子調の装飾主体７が調和して、タイルの冷たい印象に暖か味のあるアクセントを加えることができる。
そして、例えば季節の変わり目等に合わせて装飾部材５の装飾主体７を図１のように交換すれば、部屋の雰囲気を簡単に変更することができる。
【００２１】
［実施形態２］
図６は実施形態２の装飾部材５を示す分解斜視図である。この実施形態２は、複数枚分の装飾板２に対して１つの装飾部材５を対応させるものであり、装飾基板６が１枚の装飾板２に対応する大きさに分割されている。このように装飾部材５を大きくすることにより、存在感が増すことはもちろん、装飾主体７が大きくなってデザインの幅が広がる効果がある。なお、装飾基板６は、図６のように分割しないで一体成形するようにしてもよい。また、装飾基板６の大きさは装飾板２の整数倍である必要はなく、装飾板２の２.５倍というような大きさであってもよい。
【００２２】
以上本発明を実施の形態１，２について説明したが、もちろん本発明は上記実施形態に限定されるものではない。例えば実施形態１，２では装飾主体７を取着する取着手段として磁石８を例示したが、ネジ止めするようにしてもよい。また、実施形態１，２では装飾基板６としてタイルと石板を例示したが、薄くした煉瓦や木で装飾基板６を形成してもよく、また、装飾板２も煉瓦で形成してもよい。
【符号の説明】
【００２３】
１  …壁
２  …装飾板
５  …装飾部材
６  …装飾基板
６ａ…縁取り
６ｂ…主体設置部
７  …装飾主体
７ａ…枠体
８  …磁石（取着手段）
【図１】
2011219931.tif 000003
【図２】
2011219931.tif 000004
【図３】
2011219931.tif 000005
【図４】
2011219931.tif 000006
【図５】
2011219931.tif 000007
【図６】
2011219931.tif 000008